【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
自動記録を行なう方法であって：
受信者のために番組の記録の計画を立てる要求を、計画者から受信するステップ；及び
前記受信者のために前記番組を記録する命令を発行するステップ；
を有し、前記計画者及び前記受信者が異なる者であることを特徴とする方法。
【請求項２】
更に、前記計画者が前記受信者のために記録の計画を立てることを承認されているか否かを判別するステップを有し、前記受信者のために前記番組を記録する命令を発行する前記ステップが、更に、前記計画者が前記受信者のために記録を計画することを承認されている場合に、前記受信者のために番組を記録する命令を発行するステップを有することを特徴とする請求項１記載の方法。
【請求項３】
前記計画者が前記受信者のために記録の計画を立てることを承認されているか否かを判別するステップが、更に、前記計画者がバディリスト内の項目に合致するか否かを判別するステップを有することを特徴とする請求項２記載の方法。
【請求項４】
前記計画者がバディリスト内の項目に合致するか否かを判別するステップが、前記計画者の身元がバディリスト内の複数の身元の内の１つに合致するか否かを判別するステップを有することを特徴とする請求項３記載の方法。
【請求項５】
前記計画者がバディリスト内の項目に合致するか否かを判別するステップが、計画者の個人的テレビジョンレコーダの身元が、バディリスト内の複数の身元の１つに合致するか否かを判別するステップを有することを特徴とする請求項３記載の方法。
【請求項６】
更に：
前記受信者を登録するステップ；
前記計画者を登録するステップ；及び
前記受信者用のバディリストを作成するステップであって、前記バディリストは少なくとも１つの項目を有し、各項目は、受信者の所有する個人的テレビジョンレコーダでの記録を認めている者を定めるところのステップ；
を有することを特徴とする請求項１記載の方法。
【請求項７】
前記受信する及び発行するステップが、サービスプロバイダによって実行されることを特徴とする請求項１記載の方法。
【請求項８】
更に、金銭を受け取るステップを有し、前記発行するステップが、更に、前記計画者が前記受信者のために記録の計画を立てることを承認されている場合、及び前記金銭が所定値に合致する場合に、前記受信者のために前記番組を記録する命令を発行するステップを有することを特徴とする請求項７記載の方法。
【請求項９】
前記受信する及び発行するステップが、個人的テレビジョンレコーダで実行されることを特徴とする請求項１記載の方法。
【請求項１０】
前記計画者が前記受信者のために記録の計画を立てることを承認されているか否かを判別するステップが、更に、前記受信者がバディリスト内の項目に合致するか否かを判別するステップを有し、前記バディリスト内の各項目は前記リストに載せることに有料であり；及び
前記計画者が前記受信者のために記録を計画することを承認されている場合に、前記受信者のために番組を記録する命令を発行するステップが、更に、前記受信者が前記バディリスト内の項目に合致する場合に、前記受信者の個人的テレビジョンレコーダが、前記計画者の個人的テレビジョンレコーダから記録済み番組を抽出するのを可能にするために、サービスプロバイダにより計画者の個人的テレビジョンレコーダに命令を発行するステップを有する
ことを特徴とする請求項２記載の方法。
【請求項１１】
更に、前記受信者の個人的テレビジョンレコーダが、前記計画者の個人的テレビジョンレコーダから前記記録済み番組を抽出するステップを有することを特徴とする請求項１０記載の方法。
【請求項１２】
更に、前記送信者の個人的テレビジョンレコーダが、前記受信者の個人的テレビジョンレコーダに前記記録済み番組を送信するステップを有することを特徴とする請求項１０記載の方法。
【請求項１３】
更に、前記命令が発行されたことを１以上の計画者及び受信者に通知するステップを有することを特徴とする請求項１０記載の方法。
【請求項１４】
前記計画者が前記受信者のために番組の記録を計画することを承認されていない場合に、１以上の計画者及び受信者に通知を行なうステップを有することを特徴とする請求項１０記載の方法。
【請求項１５】
更に：
発行された命令を受信するステップ；
前記命令と以前に入力されている記録要求との間での競合の有無を判別するステップ；及び
競合があった場合に前記命令を拒否するステップ；
を有することを特徴とする請求項１記載の方法。
【請求項１６】
更に：
発行された命令を受信するステップ；
前記命令と鑑賞されている番組との間での競合の有無を判別するステップ；及び
競合があった場合に前記命令を拒否するステップ；
ことを特徴とする請求項１記載の方法。
【請求項１７】
コンピュータ読み取り可能なコードを格納するメモリ；及び
前記メモリに動作可能に結合されるプロセッサであって、前記コンピュータ読み取り可能なコードを実行するよう構築されるところのプロセッサ；
を有し、前記コンピュータ読み取り可能なコードが：
受信者のために番組の記録を計画する要求を計画者から受信させ；及び
前記受信者のために前記番組を記録する命令を発行させる；
ように構築され、前記計画者と前記受信者が異なる者であることを特徴とするシステム。
【請求項１８】
コンピュータ読み取り可能な媒体であって、そこに組み込まれたコンピュータ読み取り可能なコード手段を有するところのコンピュータ読み取り可能な媒体を有する製品であって、前記コンピュータ読み取り可能なコード手段が：
受信者のために番組の記録を計画する要求を計画者から受信させ；及び
前記受信者のために前記番組を記録する命令を発行させる；
ように構築され、前記計画者と前記受信者が異なる者であることを特徴とする製品。
【請求項１９】
個人的テレビジョンレコーダに対する個人同士のスケジューリング及び自動番組記録の通知のためのシステムであって：
受信者のために番組の記録を計画する要求を計画者から受信する手段；及び
前記受信者のために前記番組を記録する命令を発行する手段；
を有し、前記計画者が第１の者であり、前記受信者が第２の者であることを特徴とするシステム。
【請求項２０】
番組を記録することの可能なレコーダで実行される方法であって：
受信者のために番組の記録を計画する命令を計画者から受信するステップであって、前記計画者と前記受信者は異なる者であるところのステップ；及び
前記番組を記録するステップ；
を有することを特徴とする方法。
【請求項２１】
受信者のために番組の記録を計画する命令を計画者から受信するステップが、更に：
前記計画者が、前記番組の記録を要求するステップ；及び
前記計画者が、前記受信者のために記録する計画を立てることが承認されるか否かを判別するステップ；
を有し、前記番組を記録するステップが、更に、前記計画者が前記受信者のために記録を計画することを承認されている場合に、前記番組を記録するステップを有することを特徴とする請求項２０記載の方法。
【請求項２２】
コンピュータ読み取り可能なコードを格納するメモリ；及び
前記メモリに動作可能に接続され、前記コンピュータ読み取り可能なコードを実行するよう構築されるプロセッサ；
を有し、前記コンピュータ読み取り可能なコードは：
受信者のために番組の記録を計画する命令を計画者から受信するステップであって、前記計画者と前記受信者は異なる者であるところのステップ；及び
前記番組を記録ステップ；
を実行させるよう構築されることを特徴とするシステム。
【請求項２３】
計画者が受信者のために番組を選択するステップであって、前記計画者と前記受信者は異なる者であるところのステップ；
前記番組の記録を可能にするのに適切な命令を形成するステップ；及び
前記命令を送信するステップ；
を有することを特徴とする方法。